(57)【要約】【課題】記憶媒体からデータを再生する際にかかる消費電力を低減させる。【解決手段】記憶媒体に記憶されたデータを再生する制御を行う制御部を備えた電子機器において、第１の記憶媒体と前記第１の記憶媒体からデータを再生する際に要する消費電力に比べてデータを再生する際に要する消費電力が小さい第２の記憶媒体とに同一のデータが記憶されている場合、前記制御部は、前記第２の記憶媒体から当該同一のデータを再生する制御を行うことを特徴とする。【選択図】図１
2012138150.tif 000002
【特許請求の範囲】
【請求項１】
記憶媒体に記憶されたデータを再生する制御を行う制御部を備えた電子機器において、
第１の記憶媒体と前記第１の記憶媒体からデータを再生する際に要する消費電力に比べてデータを再生する際に要する消費電力が小さい第２の記憶媒体とに同一のデータが記憶されている場合、前記制御部は、前記第２の記憶媒体から当該同一のデータを再生する制御を行うことを特徴とする電子機器。
【請求項２】
前記第１の記憶媒体はディスク形状の記憶媒体であり、前記第２の記憶媒体は半導体メモリであることを特徴とする請求項１に記載の電子機器。
【請求項３】
前記制御部は、前記第１の記憶媒体に記憶されたデータの付加情報を第３の記憶媒体に記憶し、前記第３の記憶媒体に記憶された付加情報と、前記第２の記憶媒体に記憶されたデータの付加情報を比較することで、前記第１の記憶媒体と前記第２の記憶媒体とに同一のデータが記憶されているか否かを判定することを特徴とする請求項１又は請求項２に記載の電子機器。
【請求項４】
前記電子機器は、操作部を備え、
前記操作部を介して前記第１の記憶媒体に記憶されたデータの再生が指示された場合に、前記第２の記憶媒体に前記再生が指示されたデータと同一のデータが記憶されている場合、前記制御部は、前記第２の記憶媒体から当該同一のデータを再生する制御を行うことを特徴とする請求項１〜請求項３の何れか１項に電子機器。
【発明の詳細な説明】
【技術分野】
【０００１】
本発明は、記憶媒体に記憶されたデータを再生する電子機器に関する。
【背景技術】
【０００２】
従来から、ＣＤ（Ｃｏｍｐａｃｔ  Ｄｉｓｃ）やＨＤ（Ｈａｒｄ  Ｄｉｓｋ）などのディスク形状の記憶媒体や、ＳＤカードやフラッシュメモリなどの半導体メモリに記憶された音楽データを再生するオーディオ装置（電子機器）が知られている。
【０００３】
また、近年では、オーディオ装置自身がハードディスクや半導体メモリなどの記憶媒体を備えており、ＣＤに記憶された音楽データをオーディオ装置が備える記憶媒体（半導体メモリなど）に記憶（録音）し、またオーディオ装置が備える記憶媒体に記憶（録音）された音楽データを再生することが行われている。
【０００４】
なお、下記の特許文献１（特開２００４−３４２２４７号公報）では、録音対象の音楽曲に関わる固有識別情報を検出し、この固有識別情報に該当する固有識別情報が記憶管理手段内にあるか否かを判定して（同じ音楽曲が既に録音されているか否かを判定して）、該当する固有識別情報がある場合、この録音対象の音楽曲を記憶手段に録音する録音動作を禁止するオーディオ装置を開示している。
【０００５】
このオーディオ装置により、複雑な回路構成を用いることなく、同一音楽曲の重複録音を防止している。
【先行技術文献】
【特許文献】
【０００６】
【特許文献１】特開２００４−３４２２４７号公報
【発明の概要】
【発明が解決しようとする課題】
【０００７】
ところで、ＣＤやハードディスクなどのディスク形状の記憶媒体から音楽データを再生する場合、ＣＤドライブやＨＤドライブ（ＨＤＤ）によりＣＤやハードディスクを回転させる必要がある。そのため、ＣＤドライブやＨＤドライブ（ＨＤＤ）が有するモータなどへの電力供給が必要であり、ＳＤカードやフラッシュメモリなどの半導体メモリに比べ、音楽データを再生する際の消費電力が大きいことが知られている。
【０００８】
そのため、オーディオ装置に挿入されたＣＤなどの記憶媒体とＳＤカードやフラッシュメモリなどの半導体メモリとに同一の曲（音楽データ）が記憶（録音）されている場合、半導体メモリから当該同一の曲（音楽データ）を再生することが好ましい。
【０００９】
これにより、ＣＤドライブやＨＤドライブ（ＨＤＤ）が有するモータなどへの電力供給が不要となり、音楽データを再生する際の消費電力を小さくすることができる。
【００１０】
そこで、本願発明では、第１の記憶媒体（ＣＤなど）と、第２の記憶媒体（フラッシュメモリなど）とに、同一のデータが記憶されている場合、第２の記憶媒体（フラッシュメモリなど）から当該同一のデータを再生する電子機器を提供することを目的とする。
【課題を解決するための手段】
【００１１】
前記課題を解決するために、本願の請求項１にかかる発明は、記憶媒体に記憶されたデータを再生する制御を行う制御部を備えた電子機器において、第１の記憶媒体と前記第１の記憶媒体からデータを再生する際に要する消費電力に比べてデータを再生する際に要する消費電力が小さい第２の記憶媒体とに同一のデータが記憶されている場合、前記制御部は、前記第２の記憶媒体から当該同一のデータを再生する制御を行うことを特徴とする。
【００１２】
これにより、第２の記憶媒体から当該同一のデータを再生するため、当該同一のデータを第１の記憶媒体から再生する場合に比べ、再生する際の消費電力を小さくすることができる。
【００１３】
さらに、本願発明では、前記第１の記憶媒体はディスク形状の記憶媒体であり、前記第２の記憶媒体は半導体メモリであることが好ましい。
【００１４】
さらに、本願発明では、前記制御部は、前記第１の記憶媒体に記憶されたデータの付加情報を第３の記憶媒体に記憶し、前記第３の記憶媒体に記憶された付加情報と、前記第２の記憶媒体に記憶されたデータの付加情報を比較することで、前記第１の記憶媒体と前記第２の記憶媒体とに同一のデータが記憶されているか否かを判定することを特徴とする。
【００１５】
これにより、第１の記憶媒体と第２の記憶媒体とに同一のデータが記憶されているか否かを判定することができる。
【００１６】
さらに、本願発明の前記電子機器は、操作部を備え、前記操作部を介して前記第１の記憶媒体に記憶されたデータの再生が指示された場合に、前記第２の記憶媒体に前記再生が指示されたデータと同一のデータが記憶されている場合、前記制御部は、前記第２の記憶媒体から当該同一のデータを再生する制御を行うことを特徴とする。
【００１７】
これにより、再生指示がなされたデータと同一のデータを第２の記憶媒体から再生することができる。
【発明の効果】
【００１８】
本発明では、第１の記憶媒体（ＣＤなど）と、第２の記憶媒体（フラッシュメモリなど）とに、同一のデータが記憶されている場合、第２の記憶媒体（フラッシュメモリなど）から当該同一のデータを再生するため、当該同一のデータを第１の記憶媒体（ＣＤなど）から再生する場合に比べ、再生する際の消費電力を小さくすることができる。
【図面の簡単な説明】
【００１９】
【図１】本発明の実施例にかかるオーディオ装置の構成ブロック図である。
【図２】本発明の実施例にかかる制御部が行う制御動作を示すフローチャートである。
【発明を実施するための形態】
【００２０】
以下、本発明の具体例を実施例及び図面を用いて詳細に説明する。但し、以下に示す実施形態は、本発明の技術的思想を具体化するためにオーディオ装置を例示するものであって、本発明をこのオーディオ装置に特定することを意図するものではなく、特許請求の範囲に含まれるその他の実施形態の電子機器にも等しく適応し得るものである。
【実施例】
【００２１】
図１は、本発明の一実施例であるオーディオ装置１の構成ブロック図である。オーディオ装置１は、制御部１０、ＣＤドライブ１１、ＣＤＤＢ（ＣＤ  Ｄａｔａ  Ｂａｓｅ）１２、ＨＤドライブ１３、フラッシュメモリ１４、音声出力部１５、表示部１６、操作部１７を備えて構成される。
【００２２】
制御部１０は、ＣＰＵ１０１、ＲＯＭ１０２、ＲＡＭ１０３からなるプロセッサで構成され、ＲＯＭ１０２、ＲＡＭ１０３に記録された制御プログラムに従ってオーディオ装置１の各部の動作を制御・統括するものである。
【００２３】
ＣＤドライブ１１は、挿入されたＣＤ２に記憶された音楽データ及びＴＯＣ（Ｔａｂｌｅ  ｏｆ  Ｃｏｎｔｅｎｔｓ）情報を制御部１０の指示に基づき読み出す（再生する）。ＴＯＣ情報は、ＣＤ２に記憶された音楽データの数（曲数）や演奏時間などの情報であり、制御部１０は、このＴＯＣ情報と後述するＣＤＤＢ１２に基づいて、ＣＤ２に記憶された音楽データの付加情報（曲名、歌手名、アルバム名、ジャンル、演奏時間など）を特定する。
【００２４】
ＣＤＤＢ１２は、各種の音楽ＣＤの音楽データに関する情報（曲名、歌手名、アルバム名、ジャンル、演奏時間など）のデータベースが記憶されたフラッシュメモリ等である。なお、この音楽データに関する情報（曲名、歌手名、アルバム名、ジャンル、演奏時間など）のデータベースは、ハードディスク（ＨＤドライブ１３内のハードディスク）の所定の記憶領域に記憶されていてもよく、その場合は、ハードディスク（ＨＤドライブ１３内のハードディスク）がＣＤＤＢ１２を含む構成となる。
【００２５】
制御部１０は、ＣＤドライブ１１により読み出されたＴＯＣ情報およびＣＤＤＢ１２に基づいて、ＣＤ２に記憶された音楽データの付加情報（曲名、歌手名、アルバム名、ジャンル、演奏時間など）を特定する。この付加情報は音楽データ毎（曲毎）に特定され、ＲＡＭ１０３に記憶される。
【００２６】
なお、本実施例においては、オーディオ装置１がＣＤＤＢ１２を備える構成としているが、これに限ることはなく、ＣＤＤＢ１２をオーディオ装置１が備えなくとも、ＣＤＤＢ１２を備える外部サーバと無線通信或いは有線通信などを行うことにより、ＣＤ２に記憶された音楽データの付加情報（曲名、歌手名、アルバム名、ジャンル、演奏時間など）を特定してもよい。例えば、通信部（不図示）を介して外部サーバにＴＯＣ情報を送信し、外部サーバにて当該ＴＯＣ情報とＣＤＤＢ１２とに基づいて特定された音楽データの付加情報（曲名、歌手名、アルバム名、ジャンル、演奏時間など）を通信部（不図示）を介して受信することで特定される。
【００２７】
ＨＤドライブ１３は、音楽データ及び当該音楽データの付加情報（曲名、歌手名、アルバム名、ジャンル、演奏時間など）を記憶するハードディスク（不図示）から音楽データや当該音楽データの付加情報を制御部１０の指示に基づき読み出す（再生する）。
【００２８】
フラッシュメモリ１４は、半導体メモリであり、音楽データ及び当該音楽データの付加情報（曲名、歌手名、アルバム名、ジャンル、演奏時間など）を記憶する。フラッシュメモリ１４に記憶されている音楽データ及び当該音楽データの付加情報は、任意の圧縮形式（例えば、ＭＰ３やＷＭＡなど）で１つの音楽データ及び当該音楽データの付加情報を１つのファイルとして圧縮して記憶されており、例えば、圧縮形式がＭＰ３であれば、ＩＤ３タグ領域に当該音楽データの付加情報（曲名、歌手名、アルバム名、ジャンル、演奏時間など）が含まれている。
【００２９】
なお、図１のブロック図では、オーディオ装置１がフラッシュメモリ１４を備える構成とするが、これに限ることはなく、フラッシュメモリ１４は、オーディオ装置１に対して着脱可能であってもよい。すなわち、フラッシュメモリ１４は、オーディオ装置１に対して着脱可能なＳＤカードなどであってもよい。
【００３０】
また、上記のハードディスクやフラッシュメモリ１４に記憶された音楽データ及び当該音楽データの付加情報は、過去にオーディオ装置１を用いてユーザがＣＤに記憶された音楽データなどを記憶（録音）させたものであってもよい。
【００３１】
ハードディスクやフラッシュメモリ１４に、ＣＤに記憶された音楽データなどを記憶（録音）させる場合、制御部１０は、ハードディスクやフラッシュメモリ１４の記憶領域に、ＣＤ毎に対応したフォルダを作成し、このフォルダ内に、ＣＤに記憶された音楽データのうち操作部１７を介して指定された音楽データ（或いはＣＤに記憶された全ての音楽データ）及び音楽データの付加情報を圧縮して記憶させる。
【００３２】
音声出力部１５は、オーディオ装置１の操作に必要な音声、警告等のブザー音等を出力するスピーカなどで構成される。音声出力部１５は、上記の音声などの他に、ＣＤ２に記憶された音楽データ、或いは、ハードディスクやフラッシュメモリ１４に記憶された音楽データに基づく音声出力を行う。なお、音声出力部１５がスピーカを備えなくとも、オーディオ装置１に接続されたスピーカを介して音声出力するものであってもよい。
【００３３】
表示部１６は、操作部１７による入力作業のための画面を表示するものであり、例えば、液晶パネルによって構成される。なお、表示部１６は、タッチパネルとすることで、操作部１７の機能を持たせることもできる。
【００３４】
操作部１７は、ユーザによって操作され、再生や録音を行う音楽データの指定などを行うためのものである。また、操作部１７は、上記のタッチパネル以外にも、オーディオ装置１に設けられたハードキーで構成されてもよいし、リモコンなどで構成されてもよい。
【００３５】
以上が本発明の実施例におけるオーディオ装置１の構成の説明である。このようなオーディオ装置１において、例えば、表示部１６に表示されたメニュー画面上などで、ユーザがタッチパネル（操作部１７）を介して、ＣＤ２に記憶された音楽データの再生を指示した場合、制御部１０は、ＣＤドライブ１１へ指定された音楽データの再生を指示し、ＣＤドライブ１１により読み出された（再生された）音楽データをＤ／Ａ変換等した後、音声出力部１５を介して音声出力を行う。これにより、ユーザが再生を指示した音楽データ（曲）を聞くことができる。
【００３６】
しかしながら、上記の通り、ＣＤ２に記憶された音楽データを再生する場合、ＣＤドライブ１１が有するモータ（不図示）などへの電力供給が必要であり、フラッシュメモリ１４に記憶された音楽データを再生する場合に比べ、消費電力が大きくなってしまう。
【００３７】
そのため、ＣＤ２に記憶された音楽データを再生する場合に、同一の音楽データがフラッシュメモリ１４に記憶されている場合、フラッシュメモリ１４に記憶された音楽データを再生することが好ましい。
【００３８】
次に、図２のフローチャートを用いて、本発明のオーディオ装置１の制御部１０における制御動作の説明を行う。
【００３９】
まず、ユーザによってＣＤ２がＣＤドライブ１１に挿入されると（ステップＳ２０１）、ＣＤドライブ１１がＴＯＣ情報を読み出して制御部１０がＴＯＣ情報を取得する（ステップＳ２０２）。
【００４０】
続いて、制御部１０は、取得したＴＯＣ情報とＣＤＤＢ１２に基づいて、ステップＳ２０１にて挿入されたＣＤ２に記憶された音楽データの付加情報（曲名や歌手名など）を特定する（ステップＳ２０３）。なお、特定した付加情報は、例えば、制御部１０のＲＡＭ１０３などに記憶され、例えば、操作部１７を介してＣＤ２に記憶された音楽データのリスト表示の指示がなされた場合などに、制御部１０は、この付加情報に基づくリスト（曲名のリストなど）を表示部１６へ表示させる。そして、ユーザが操作部１７を介して、表示されたリストから聞きたい曲（音楽データ）を選択することで、再生指示がなされる。
【００４１】
次に、制御部１０は、ステップＳ２０３において特定した音楽データの付加情報と、フラッシュメモリ１４に記憶された音楽データの付加情報とを比較し（ステップＳ２０４）、
同一の音楽データが存在するか否かを判定する（ステップＳ２０５）。
【００４２】
ここで、同一の音楽データが存在するか否かの判定は、種々の方法を用いることが可能である。例えば、ステップＳ２０３において特定した付加情報と、フラッシュメモリ１４に記憶されている付加情報（ＭＰ３形式の圧縮であればＩＤ３タグ領域に含まれる付加情報）とを比較することで行われてもよい。
【００４３】
この場合、比較する項目は、付加情報に含まれる全ての項目（曲名、歌手名、アルバム名、ジャンル、演奏時間など）であってもよいし、全ての項目を比較せずとも、特定の項目（例えば、曲名と歌手名）のみを比較しても良い。
【００４４】
そして、付加情報に含まれる全ての項目或いは特定の項目が同一である音楽データの付加情報がフラッシュメモリ１４に記憶されている場合に、同一の音楽データが存在すると判定を行う。
【００４５】
なお、ステップＳ２０３では、ＣＤ２に記憶された音楽データ毎の付加情報が特定される。すなわち、例えば、ＣＤ２に１０曲の音楽データが記憶されている場合であれば、１０個の付加情報が特定される。
【００４６】
ステップＳ２０５では、この１０個の付加情報とフラッシュメモリ１４に記憶された付加情報とをそれぞれ比較し、１０個の付加情報のうち１つでも同一の付加情報が存在すれば（付加情報に含まれる全ての項目或いは特定の項目が同一である付加情報がフラッシュメモリ１４に記憶されていれば）、同一の音楽データが存在する（ステップＳ２０５のＹＥＳ）と判定を行う。
【００４７】
同一の音楽データが存在しない場合（ステップＳ２０５のＮＯ）、すなわち、ＣＤ２に記憶された音楽データ毎の付加情報に含まれる全ての項目或いは特定の項目が同一である音楽データの付加情報がフラッシュメモリ１４に記憶されていない場合に、操作部１７を介してＣＤ２に記憶された音楽データの再生指示がなされると（ステップＳ２０６のＹＥＳ）、制御部１０は、ＣＤドライブ１１へ再生指示があった音楽データを再生（読み出す）するように指示し、ＣＤドライブ１１により再生された音楽データをＤ／Ａ変換等し、音声出力部１５を介して音声出力する（ステップＳ２０７）。
【００４８】
一方、同一の音楽データが存在する場合（ステップＳ２０５のＹＥＳ）、すなわち、ＣＤ２に記憶された音楽データ毎の付加情報に含まれる全ての項目或いは特定の項目が同一である音楽データの付加情報が１つでもフラッシュメモリ１４に記憶されている場合、制御部１０は、ＲＡＭ１０３に記憶された音楽データの付加情報（ＣＤ２に記憶された音楽データの付加情報）のうち、当該同一の音楽データの付加情報にフラグを立てる（ステップＳ２０８）。ステップＳ２０８では、フラグを立てる例を示すが、これに限ることはなく、当該同一の音楽データを識別可能な識別情報を制御部１０のＲＡＭ１０３などに記憶することであってもよい。すなわち、ＣＤ２に記憶された音楽データとフラッシュメモリ１４に記憶されている音楽データが同一であることを識別することができるような情報を記憶する。
【００４９】
次に、制御部１０は、操作部１７を介してＣＤ２に記憶された音楽データの再生指示がなされたか否かを判定し（ステップＳ２０９）、ＣＤ２に記憶された音楽データの再生指示がなされた場合（ステップＳ２０９のＹＥＳ）、再生指示がなされた音楽データ（ＣＤ２に記憶された音楽データ）がフラッシュメモリ１４に記憶されているか否かを判定する（ステップＳ２１０）。
【００５０】
ここで、再生指示がなされた音楽データ（ＣＤ２に記憶された音楽データ）がフラッシュメモリ１４に記憶されているか否かの判定は、再生指示がなされた音楽データの付加情報（ＲＡＭ１０３に記憶された付加情報）にステップＳ２０８において立てたフラグがあるか否かで判定しても良いし、上記のように同一の音楽データ（ＣＤ２およびフラッシュメモリ１４に記憶された音楽データ）の識別情報を制御部１０のＲＡＭ１０３などに記憶する場合であれば、再生指示がなされた音楽データの識別情報が制御部１０のＲＡＭ１０３に記憶されているか否かで判定を行う。
【００５１】
再生指示がなされた音楽データ（ＣＤ２に記憶された音楽データ）がフラッシュメモリ１４に記憶されている場合（ステップＳ２１０のＹＥＳ）、制御部１０は、フラッシュメモリ１４に記憶されている音楽データ（再生指示がなされた音楽データと同一の音楽データ）を読み出して、Ｄ／Ａ変換等し、音声出力部１５を介して音声出力する（ステップＳ２１１）。
【００５２】
すなわち、ユーザが操作部１７を介してＣＤ２に記憶された音楽データの再生指示を行った場合に、フラッシュメモリ１４に再生指示がなされた音楽データと同一の音楽データが記憶されている場合は、フラッシュメモリ１４から音楽データ（再生指示がなされた音楽データと同一の音楽データ）を再生（読み出す）する。
【００５３】
これにより、ＣＤ２から音楽データを再生する場合に比べ、消費電力を小さくすることができる。
【００５４】
なお、再生指示がなされた音楽データ（ＣＤ２に記憶された音楽データ）がフラッシュメモリ１４に記憶されていない場合（ステップＳ２１０のＮＯ）、制御部１０は、ＣＤドライブ１１へ再生指示があった音楽データを再生（読み出す）するように指示し、ＣＤドライブ１１により再生された音楽データをＤ／Ａ変換等し、音声出力部１５を介して音声出力する（ステップＳ２１２）。
【００５５】
なお、ステップＳ２０６、ステップＳ２０９において、操作部１７を介してＣＤ２に記憶された音楽データの再生指示がなされていない場合は、本発明の処理を終了する。
【００５６】
以上が本発明の実施例の説明である。実施例にて説明した通り、本発明では、操作部１７を介してＣＤ２に記憶された音楽データの再生指示を行った場合に、フラッシュメモリ１４に再生指示がなされた音楽データと同一の音楽データが記憶されている場合は、フラッシュメモリ１４から音楽データ（再生指示がなされた音楽データと同一の音楽データ）を再生（読み出す）する。これにより、ＣＤ２から音楽データを再生する場合に比べ、消費電力を小さくすることができる。
【００５７】
なお、本発明は上記実施例に限らず種々の変更を行うことが可能である。例えば、上記実施例では、ＣＤ２から音楽データを再生する場合、ＣＤ２を回転させるためのモータなどへの電力供給が必要であり、フラッシュメモリ１４から音楽データを再生する場合に比べて、消費電力が大きいため、フラッシュメモリ１４に再生指示がなされた音楽データ（ＣＤ２に記憶された音楽データ）と同一の音楽データが記憶されている場合は、フラッシュメモリ１４から音楽データ（再生指示がなされた音楽データと同一の音楽データ）を再生（読み出す）する場合を例示したが、これに限らず、例えば、消費電力測定の測定結果などによりＣＤ２から音楽データを再生する場合に比べて、ＨＤドライブ１３のハードディスクから音楽データを再生する方が小さい場合なども同様に、ハードディスクに再生指示がなされた音楽データ（ＣＤ２に記憶された音楽データ）と同一の音楽データが記憶されている場合は、ハードディスクから音楽データ（再生指示がなされた音楽データと同一の音楽データ）を再生（読み出す）することが好ましい。
【００５８】
なお、ＣＤ２に記憶された音楽データと同一の音楽データがハードディスクに記憶されているか否かの判定は、上記のように、付加情報を特定して、全ての項目或いは特定の項目が同一である付加情報がハードディスクに記憶されているか否かで判定しても良いが、過去にオーディオ装置１を用いてＣＤに記憶された音楽データをハードディスクに記憶（録音）させる際に、音楽データ及びＴＯＣ情報をハードディスクに記憶（録音）させている場合であれば、挿入されたＣＤ２に記憶されたＴＯＣ情報と、ハードディスクに記憶に記憶されたＴＯＣ情報を比較することで、同一の音楽データがハードディスクに記憶されているか否かの判定を行っても良い。
【００５９】
この場合、同一のＴＯＣ情報がハードディスクに記憶されていれば、挿入されたＣＤ２に記憶された全ての音楽データがハードディスクに記憶されているため、ＣＤ２に記憶された音楽データの再生指示があれば、当該音楽データと同一の音楽データをハードディスクから再生する。
【００６０】
さらに、再生指示がなされた音楽データ（ＣＤ２に記憶された音楽データ）と同一の音楽データがフラッシュメモリ１４及びハードディスクに記憶されている場合は、再生する際の消費電力が小さいフラッシュメモリ１４から再生し、また、再生指示がなされた音楽データ（ＣＤ２に記憶された音楽データ）と同一の音楽データがハードディスクにのみ記憶されている場合であれば、ハードディスクから再生することとしてもよい。
【００６１】
また、上記実施例では、操作部１７を介して音楽データの再生指示がなされる場合を例示したが、これに限ることはなく、操作部１７を介して再生指示がなされた音楽データを再生した後、次の音楽データ（トラックナンバーが再生指示がなされた音楽データの次に小さい音楽データなど）も本発明の処理を行っても良い。
【００６２】
すなわち、再生指示がなされた音楽データを（ＣＤ２又はフラッシュメモリ１４から）再生した後、次の音楽データについても、フラッシュメモリ１４に同一の音楽データが存在するか否かを判定し、存在する場合はフラッシュメモリ１４から再生するなどの処理を行っても良い。
【００６３】
さらに、ＣＤ２に記憶された音楽データの再生指示がなされた際に、再生する順番として、トラックナンバーではなく、フラッシュメモリ１４に同一の音楽データが存在するか否かで再生する順番を変更しても良い。すなわち、ＣＤ２に記憶された音楽データ（１０曲）のうち、５曲の音楽データがフラッシュメモリ１４に記憶されている場合、当該５曲の音楽データを連続（順不同）で再生することが好ましい。これにより、ＣＤドライブ１１による再生とフラッシュメモリ１４からの再生が頻繁に繰り返されることを防止することができる。
【００６４】
なお、本実施例においては、音楽データを再生するオーディオ装置１を例示したが、これに限ることはなく、例えば、オーディオ装置１に変えて映像データ及び音楽データを再生するビデオ再生装置であってもよい。
【００６５】
ビデオ再生装置である場合、ＣＤドライブ１１ではなく、ＤＶＤドライブを備える構成とし、ＤＶＤドライブに挿入されるＤＶＤに記憶された映像データ及び当該映像データに対応付けられた音楽データと同一の映像データ及び当該映像データに対応付けられた音楽データが、フラッシュメモリ１４（或いはハードディスク）に記憶されているか否かを判定する。
【００６６】
フラッシュメモリ１４（或いはハードディスク）に、ＤＶＤに記憶された映像データ及び当該映像データに対応付けられた音楽データと同一の映像データ及び当該映像データに対応付けられた音楽データが記憶されているか否かの判定は、ＤＶＤドライブにより読み出されたＤＶＤに記憶されたビデオＩＤ（ＣＤのＴＯＣ情報に相当し、映画タイトルなどを識別するための情報）と、ＤＶＤデータベース（ＣＤＤＢに相当）とに基づいて、ＤＶＤに記憶された映像データ及び当該映像データに対応付けられた音楽データの付加情報（タイトルなど）を特定し、この付加情報の全ての項目或いは特定の項目が同一である付加情報がフラッシュメモリ１４（或いはハードディスク）に記憶されているか否かで判定する。
【００６７】
そして、同一の映像データ及び当該映像データに対応付けられた音楽データがフラッシュメモリ１４（或いはハードディスク）に記憶されている場合に、ＤＶＤに記憶された映像データ及び当該映像データに対応付けられた音楽データの再生指示がなされると、制御部１０は、フラッシュメモリ１４（或いはハードディスク）から当該同一の映像データ及び当該映像データに対応付けられた音楽データを読み出し（再生し）、映像データに基づく表示（映像）を表示部１６へ表示させ、音楽データに基づく音声出力を音声出力部１５を介して行う。
【００６８】
これにより、音楽データを再生するオーディオ装置に限らず、ディスク形状の記憶媒体に記憶されたデータと同一のデータ（映像データなど）が半導体メモリに記憶されている場合、半導体メモリから読み出す（再生する）ことで、消費電力を小さくすることができる。
【符号の説明】
【００６９】
１  ・・・オーディオ装置
２  ・・・ＣＤ
１０・・・制御部
１０１・・ＣＰＵ
１０２・・ＲＯＭ
１０３・・ＲＡＭ
１１・・・ＣＤドライブ
１２・・・ＣＤＤＢ
１３・・・ＨＤドライブ
１４・・・フラッシュメモリ
１５・・・音声出力部
１６・・・表示部
１７・・・操作部
【図１】
2012138150.tif 000003
【図２】
2012138150.tif 000004